(57)【要約】      （修正有）【課題】歯面に装着して歯列矯正アーチワイヤを容易且つ確実に固定するようにすると共  に、矯正期間中アーチワイヤが外れる惧れのないブラケットを提供する。  【解決手段】歯面に接着するベース板２上にアーチワイヤの取付体３を設けたブラケット体１とブラケット本体にアーチワイヤを固定するロック部材１０とからなり、ベース板はその横幅を上側部から下側部に向かって徐々に狭く形成してあり、取付体は、その上部より下部を肉厚に形成して上面を傾斜させ、上面下部には上端部を開口したワイヤスロット４を形成し、該ワイヤスロットの下側壁上部には係止溝５を形成し、該係止溝の前側壁内部には係止凸部６を設けてあり、ロック部材は、弾性板を略方形に形成しその下端部には係合凹部１４を設け、中央部を取付体上部の斜面に回動可能に軸着してありその短辺側下端部がスロット閉塞時係合凹部が係止凸部と係合し得るように形成してなる。【選択図】図１
0003155836.tif 000002
【実用新案登録請求の範囲】
【請求項１】
歯面に接着するベース板上にアーチワイヤの取付体を設けたブラケット本体と、上記ブラケット本体にアーチワイヤを固定するロック部材とを備えた歯列矯正用ブラケットであって、上記ベース板は、その横幅を上側部から下側部に向かって徐々に狭く形成してあり、上記取付体は、その上部より下部を肉厚に形成して上面を傾斜させ、上面下部には上端部を開口したワイヤスロットを形成し、該ワイヤスロットの下側壁上部には係止溝を形成すると共に該係止溝の前側壁内部には係止凸部を設けあり、上記ロック部材は、弾性板を略方形に形成しその下端部には係合凹部を設け、中央部を取付体上部の斜面に回動可能に軸着してあり、ロック部材の短辺側下端部がスロット閉塞時その係合凹部が係止凸突部と係合し得るようにしてなることを特徴とする歯列矯正用ブラケット。
【請求項２】
歯面に接着するベース板上にアーチワイヤの取付体を立設したブラケット本体と、上記ブラケット本体にアーチワイヤを固定するロック部材とを備えた歯列矯正用ブラケットであって、上記ベース板は、その横幅を上側部から下側部に向かって徐々に狭く形成すると共に、上部中央部には係止凸部を設けてあり、上記取付体は、その上部より下部を肉厚に形成して上面を傾斜させ、上面下部には上端部を開口したワイヤスロットを形成し、該ワイヤスロットの下側壁上部には係止溝を形成してあり、上記ロック部材は、弾性板を略方形に形成し、その上側部をやや屈曲させて前記ベース板上面に当接するように形成すると共に、その上端部には係合孔を設け、中央部を取付体上部の斜面に回動可能に軸着してあり、前記ロック部材の下端部がスロットを閉塞時、その係合孔が係止凸部と係合し得るようにしてあることを特徴とする歯列矯正用ブラケット。
【請求項３】
歯面に接着するベース板上にアーチワイヤの取付体を立設したブラケット本体と、上記ブラケット本体にアーチワイヤを固定するロック部材とを備えた歯列矯正用ブラケットであって、上記ベース板は、その横幅を上側部から下側部に向かって徐々に狭く形成してあり、上記取付体は、その上部より下部を肉厚に形成して上面を傾斜させ、上面下部には上端部を開口したワイヤスロットを形成し、該ワイヤスロットの下側壁上部には係止溝を形成すると共に該係止溝の前側壁内部には係止凸部を設けてあり、上記ロック部材は、弾性板を略方形に形成してその係止端部には係合凸部を設けると共に中央部には長手方向にスライド孔を設けて、取付体上部の斜面にスライド可能に軸着してあり、前記ロック部材の短辺側下端部がスロットを閉塞時、その係合凸部が係止溝の係止凸部と係合し得るようにしてなることを特徴とする歯列矯正用ブラケット。
【考案の詳細な説明】
【技術分野】
【０００１】
本考案は、歯面に装着して、近遠心方向に伸びたアーチワイヤ（矯正ワイヤ）を確実に固定し得るようにした歯列矯正用のブラケットに関する。
【背景技術】
【０００２】
従来、歯列の矯正を行うに当たり、歯の表面に歯列矯正具を接着剤などで固定し、該歯列矯正具間にアーチワイヤを挿通し、アーチワイヤの復元力で歯を押圧することにより、歯列を正しい位置に移動させて矯正している。
従来の歯列矯正に使用するブラケットにおいては、歯面に接着するベース上に立設した取付体の中央部には、側面を開口とした近遠心方向のワイヤスロットが形成されており、アーチワイヤを側面より嵌めてリガチャーワイヤで結紮しているために、アーチワイヤの取付作業が円滑に行い難く、特に歯の裏面にブラケットを取付けた場合にはアーチワイヤの取付作業が一層難しくなる問題点があった
而して、係る問題点に鑑みて、下記特許文献１のように、取付体の上側を開口したワイヤ挿入溝を形成して、アーチワイヤを歯先側より嵌めて、ワイヤ挿入溝を開閉する係止片でアーチワイヤを固定するようにしたものがある。
【特許文献１】実公昭６３−７２２０号
【考案の開示】
【考案が解決しようとする課題】
【０００３】
上記従来のアーチワイヤを歯先側より嵌めることができるブラケットは、矯正作業が行い易い利点はあるが、製造が容易でなくコスト高になる等の難点があった。また、取付体が歯面より大きく出張る為に、特に歯の裏面に接着して使用した場合には、舌先への異物感が大きく不快であった。
本出願人は、上記の従来の難点に鑑みて、新規なブラケットを考案して先に実用新案出願した（登録第３１２９６８９号）。上記考案は、回動又はスライドし得るロック板によりアーチワイヤをブラケットに固定するものであり、所期の目的を達成出来るものであるが、往々にして矯正治療中にロック板が動いてしまい、アーチワイヤがブラケットから外れる惧れがあることが分かった。
【０００４】
そこで、本考案は、アーチワイヤを歯先側より嵌め付けることによって、歯列の矯正作業を円滑に行うことができ、矯正期間中アーチワイヤを確実に固定できると共に、構造が簡単で製造が容易であり、また、舌先への異物感を減少した矯正用のブラケットを提供するものである。
【課題を解決するための手段】
【０００５】
本考案のブラケットは、歯面に接着するベース板にアーチワイヤの取付体を立設したブラケット本体と、上記ブラケット本体にアーチワイヤを固定するロック部材を備えた歯列矯正用ブラケットであって、上記ベース板は、その横幅を上側部から下側部に向かって緩やかに小さく形成してあり、上記取付体は、その上部より下部を肉厚に形成して上面を傾斜させ、上面下部には上端部を開口したワイヤスロットを形成し、該ワイヤスロットの下側壁上部には係止溝を形成すると共に該係止溝の前側壁内部には係止凸部を設けてあり、上記ロック部材は、弾性板を略方形に形成し、その下端部には係合凹部を設けて、その中央部を取付体上部の斜面に回動可能に軸着してあり、前記ロック部材の短辺側下端部がスロットを閉塞時前記係合凹部がベース板の係止凸突部に係合し得るように構成してある。
【０００６】
また、上記取付体は、その上部より下部を肉厚に形成して上面を傾斜させ、上面下部には上端部を開口したワイヤスロットを形成し、該ワイヤスロットの下側壁上部には係止溝を形成してあり、上記ロック部材は、弾性板を略方形に形成し、その上側部をやや屈曲させて前記ベース板上面に当接するように形成すると共に、その上端中央部には係合孔を設けてその略中央部を取付体上部の斜面に回動可能に軸着してあり、前記ロック部材の下端部がスロットを閉塞時前記係合孔がベース板の係止凸部に係合し得るように構成する場合もある。
【０００７】
さらに、上記取付体は、その上部より下部を肉厚に形成して上面を傾斜させ、上面下部には上端部を開口したワイヤスロットを形成し、該ワイヤスロットの下側壁上部には係止溝を形成すると共に該係止溝の前側壁内部には係止凸部を設けてあり、上記ロック部材は、弾性板を略方形に形成してその下端部には係合凸部を設けると共に中央部には長手方向にスライド孔を設けて、その略中央部を取付体上部の斜面にスライド可能に軸着してあり、前記ロック部材の短辺側下端部がスロットを閉塞時、その係合凸部がベース板の係止凸部と係合し得るように構成する場合もある。
【考案の効果】
【０００８】
本考案のブラケットによれば、アーチワイヤを歯先側より嵌め込んで確実に固定することができる。特に作業が難しい歯裏側へのアーチワイヤの取付作業を、極めて円滑に行うことができる。
また、スロット内のアーチワイヤをロック部材で押圧していると共に、そのロック状態を確実に維持し、濫りに離脱しないような構成にしてあるので、矯正作業中にアーチワイヤに引張力が作用してもブラケットから外れる惧れが無く、矯正作業を安心して行うことが出来る。
また、極めて小型に形成することが出来るので、歯の裏面に装着した場合、舌先への異物感を極力少なくすることができる利点もある。
更に、本考案に係るブラケットは構成が簡単で製作が容易であり、コストを低減できる。
【実施例１】
【０００９】
次に添付図面に従って、本考案の実施例を詳説する。
図１乃至図３において、１はブラケット本体であって、歯面に接着する薄板状ベース板２は、その横幅を上側部から下側部に向って徐々に狭く形成すると共に、その上面下側部よりに取付体３を立設してある。
前記取付体３は、その上部より下部を肉厚に形成して上面を傾斜させ、上面下部にワイヤスロット４を凹設してある。また、ワイヤスロット４の下側壁上部には係止溝５を設けると共に、該係止溝５の前側壁内部には係止凸部６を設けてある。７はリガチャーワイヤを結紮するために取付体３下側に突設したフックを示す。
１０は弾性板で方形状に形成したロック部材であって、その中央部分を前記取付体３の斜面部１１に軸ピン１２で回動可能に軸着してあり、その係止端部１３には上記係止凸部６と係合し得る係合凹部１４を設けてある。而して、係止凸部６を係合凹部１４に係脱させることによりワイヤスロット４の開口部１５を開閉し得るようにしてある。
【００１０】
次に上記ブラケットの作用につき説明すると、ベース板２を歯面ｔに接着後、ワイヤスロット４内にアーチワイヤＷを歯先側より嵌め込み、ロック部材１０を矢印方向に回動して、その係止凹部１４を取付体３の係止凸部６と係合させると、開口部１５が塞がれると共に、アーチワイヤＷをワイヤスロット４内に確実に固定することができる。
而して、ロック部材１０の係止端部１３は係止溝５内に弾力で支持されていると共に、その係合凹部１４が係止凸部６と係合するようにしてあるため簡単には外れないので、矯正期間中にロック部材１０が濫りに動く惧れがない。
なお、本実施例では、取付体３に係止凸部６を設けて、ロック部材１０に設けた係合凹部１４と係合し得るようにしてあるが、取付体３に係合凹部を設けると共にロック部材１０に係止凸部を設けるようにしても良い。
【実施例２】
【００１１】
本実施例においては図４及び図６に示すように、歯面に接着するベース板２０板上に設けた取付体２１は、その上部より下部を肉厚に形成して上面を傾斜させ、上面下部にワイヤスロット２２を凹設してある。又、ワイヤスロット２２の下側壁上部には係止溝２３を設けてある。又、ベース板２０上部には係止凸部２４を設けてある。
２５は弾性板で方形状に形成したロック部材であって、その中央部を前記取付体２１の斜面部２６に軸ピン２７で回動可能に軸着してあり、係止端部２８を前記係止溝２３に係脱させることにより、前記スロット２２の開口部２９を開閉し得るようにしてある。
又、上端部はやや屈曲してベース板２０上部に当接するように形成し、下端部２８が係止溝２３に係止時、ベース板上の係止凸部２４に係合し得る係合孔３０を設けてある。
【００１２】
而して、上記ブラケットを使用するには、ベース板２０を歯面に接着後、ワイヤスロット２２内にアーチワイヤＷを歯先側より嵌め込み、ロック部材２５を回動して、その下端部２８を係止溝２３に係合させると、開口部２９が塞がれると共に、アーチワイヤＷをワイヤスロット２２内に確実に固定することができる。
而して、ロック部材２５の係止端部２８は係止溝２３内に弾力で支持されていると共に、上端部に設けた係合孔３０がベース板２０の係止凸部２４に嵌合するために簡単には外れないので、矯正期間中にロック部材２５が濫りに動く惧れがない。なお、３１は結紮用凸部であって、矯正治療の初期段階において、リガチャーワイヤを当該突部３１とフック７間に掛け渡して、アーチワイヤを結紮するためのものである。
【実施例３】
【００１３】
本実施例においては、図７乃至図１０に示すように、歯面に接着するベース板４０板上に設けた取付体４１は、その上部より下部を肉厚に形成して上面を傾斜させ、上面下部にワイヤスロット４２を凹設してある。又、ワイヤスロット４２の下側壁上部には係止溝４３を設けると共に、該係止溝４３の前側壁内部には係止凸部４４を設けてある。
４５は弾性板で方形状に形成したロック部材であって、その係止端部４６には上記係止凸部４４と係合し得る係合凸部４７を設けると共に、長手方向の中央部に摺動孔４８を設けて、前記取付体４１の斜面部４９に軸ピン５０でスライド可能に軸着してある。また、その上面上側端部には、スライド操作が円滑に行い得るように、ピンセットの先端部を差込むための凹所５１を設けてある。
【００１４】
上記ブラケットを使用するには、ベース板４０を歯面に接着後、ワイヤスロット４２内にアーチワイヤＷを歯先側より嵌め込む。
而して、ピンセットの先端部を凹所５１内に差し込んでロック部材４５をスライドさせて、その係合凸部４７を取付体４１の係止凸部４４に係合させると開口部５２が塞がれると共に、アーチワイヤＷをワイヤスロット４２内に確実に固定することができる。
而して、ロック部材４５の係止端部４６は係止溝４３内に弾力で支持されていると共に、その係合凸部４７がスロット４２の係止凸部４４と係合するようにしてあるため簡単には外れないので、矯正期間中にロック部材４５が濫りに動く惧れがない。
【図面の簡単な説明】
【００１５】
【図１】実施例１におけるブラケットの正面図である。
【図２】アーチワイヤを止着した状態の正面図である。
【図３】図６におけるＡ−Ａ線断面図である。
【図４】実施例２におけるブラケットの平面図である。
【図５】アーチワイヤを止着した状態の正面図である。
【図６】図９におけるＢ−Ｂ線断面図である。
【図７】実施例３におけるブラケットの正面図である。
【図８】図７におけるＣ−Ｃ線断面図である。
【図９】アーチワイヤを止着した状態の正面図である。
【図１０】図９におけるＤ−Ｄ線断面図である。
【符号の説明】
【００１６】
１      ブラケット本体
２      ベース板
３      取付体
４      ワイヤスロット
５      フック
６      係止凸部
１０    ロック部材
１１    斜面部
１２    軸ピン
１３    係止端部
１４    係合凹部
１５    開口部
２０    ベース板
２１    取付体
２２    ワイヤスロット
２３    係止溝
２４    係止凸部
２５    ロック部材
２６    斜面部
２７    軸ピン
２８    係止端部
２９    開口部
３０    係合孔
３１    結紮用凸部
４０    ベース板
４１    取付体
４２    ワイヤスロット
４３    係止溝
４４    係止凸部
４５    ロック部材
４６    係止端部
４７    係合凸部
４８    摺動孔
４９    斜面部
５０    軸ピン
５１    凹所
５２    開口部
【図１】
0003155836.tif 000003
【図２】
0003155836.tif 000004
【図３】
0003155836.tif 000005
【図４】
0003155836.tif 000006
【図５】
0003155836.tif 000007
【図６】
0003155836.tif 000008
【図７】
0003155836.tif 000009
【図８】
0003155836.tif 000010
【図９】
0003155836.tif 000011
【図１０】
0003155836.tif 000012